(57)【要約】      （修正有）【課題】単な構成で作業効率が良くコスト削減ができ、かつ遮音性の良好なエルボ用遮音シート、該エルボ用遮音シートを被覆されたエルボ、及びエルボ用遮音シートをエルボ部分に被覆する方法を提供する。【解決手段】エルボ用遮音シート１００は、該シートの中央部に設けられ、エルボの湾曲部に当接する本体部１０と、配管のエルボ部分の幅方向に延びる形状を有し、本体部を幅方向と交わる方向に挟むように設けられる第一の帯状部２０及び第二の帯状部３０と、を備える。本体部と第一の帯状部及び第二の帯状部のそれぞれとの接続部には、本体部の幅方向の一端側から中央部に向かう切り込み部２６、２７、３６，３７が形成されている。本体部の幅方向と交わる方向の一端側及び他端側の端部には、配管のエルボ部分に被覆された状態で、第一の帯状部及び第二の帯状部のそれぞれの本体部側部分に重なり合う重ね合わせ部が形成されている。【選択図】図１
2016138570.tif 000002
【特許請求の範囲】
【請求項１】
配管のエルボ部分を被覆するための長手方向に延在するエルボ用遮音シートであって、
該シートの中央部に設けられ、前記エルボの湾曲部に当接する本体部と、
前記配管の前記エルボ部分の幅方向に延びる形状を有し、前記本体部を前記幅方向と交わる方向に挟むように設けられる第一の帯状部及び第二の帯状部と、を備え、
前記本体部と前記第一の帯状部及び第二の帯状部との接続部には、前記本体部の前記幅方向の一端側から前記中央部に向かう切り込み部が形成され、
前記本体部の前記幅方向と交わる方向の一端側及び他端側の端部を、前記配管のエルボ部分に被覆した時、前記第一の帯状部及び前記第二の帯状部のそれぞれの前記本体部側部分に重なり合う重ね合わせ部が形成される、エルボ用遮音シート。
【請求項２】
前記本体部の前記幅方向の一端側及び他端側には、前記幅方向と交わる方向の中央部に、前記幅方向の外側に向けて突出部が形成されている、請求項１に記載のエルボ用遮音シート。
【請求項３】
前記本体部の前記突出部は、前記本体部の前記幅方向の一端側及び他端側から外側に向けて、先細り形状に形成されている、請求項２に記載のエルボ用遮音シート。
【請求項４】
前記本体部の前記幅方向の一端側及び他端側には、前記幅方向と交わる方向の中央部に、前記幅方向の外側から内側に向けて先細の切れ込み部が形成され、
前記切れ込み部によって該切れ込み部の両側に第一及び第二の襞部が形成されている、請求項１に記載のエルボ用遮音シート。
【請求項５】
請求項１〜４の何れかに記載のエルボ用遮音シートを被覆されたエルボ。
【請求項６】
請求項１〜３の何れかに記載のエルボ用遮音シートをエルボ部分に被覆する方法であって、
前記本体部を前記配管の前記エルボ部分の前記湾曲部に被覆する工程と、前記第一の帯状部を前記本体部の前記重ね合わせ部に重ね合うようにして前記エルボ部分に被覆する工程と、前記本体部及び前記第一の帯状部を押さえた状態で粘着テープで仮止めする工程と、前記第二の帯状部を前記本体部の前記重ね合わせ部に重ね合うようにして前記エルボ部分に被覆する工程と、前記本体部、前記第一の帯状部及び前記第二の帯状部が前記エルボ部分に被覆された状態で、前記エルボ部分にシートの前記切り込み部を前記粘着テープで貼着させる工程とを、含む、エルボ用遮音シートを配管のエルボ部分に被覆する方法。
【請求項７】
請求項４に記載のエルボ用遮音シートをエルボ部分に被覆する方法であって、
前記第一の襞部を前記エルボ部分の前記湾曲部に被覆する工程と、前記第一の帯状部を前記第一の襞部の重ね合わせ部に重ね合うようにして前記エルボ部分に被覆する工程と、前記第一の襞部及び前記第一の帯状部を押さえた状態で粘着テープで仮止めする工程と、前記第二の襞部を前記エルボ部分の前記湾曲部に被覆する工程と、前記第二の帯状部を前記第二の襞部の重ね合わせ部に重ね合うようにして前記エルボ部分に被覆する工程と、前記襞部及び帯状部が配管に被覆された状態で、前記エルボ部分にシートの前記切れ込み部を前記粘着テープで貼着させる工程とを、含む、エルボ用遮音シートを配管のエルボ部分に被覆する方法。
【発明の詳細な説明】
【技術分野】
【０００１】
本発明は、配管のエルボ部分への取り付けに適したエルボ用遮音シート、エルボ及びエルボ用遮音シートをエルボ部分に被覆する方法に関する。
【背景技術】
【０００２】
従来より、住宅等に配置された配管及び該配管のエルボ部分に、遮音性を維持するための遮音シートが被覆されている。このような遮音シートは、例えば、特開２０１１−３３０５５号公報（特許文献１）に記載されている。
【０００３】
特許文献１には、配管のエルボ部分を被覆するための長手方向に延在するエルボ用遮音シートであって、該シートの中央部に設けられ、エルボの湾曲部に当接する本体部と、配管のエルボ部分の幅方向に延びる形状を有し、本体部を幅方向と交わる方向に挟むように、本体部の略中央部で接続される第一の帯状部及び第二の帯状部と、を備えるエルボ用遮音シートが記載されている。
【０００４】
かかるエルボ用遮音シートにおいて、本体部の幅方向と交わる方向の略中央部に、本体部の幅方向の一端側から中央部及び中央部から幅方向の他端側に向かう切れ込み部が形成されている。そして、本体部の切れ込み部の両側には、一対の襞部が形成されている。
【先行技術文献】
【特許文献】
【０００５】
【特許文献１】特開２０１１−３３０５５号公報
【発明の概要】
【発明が解決しようとする課題】
【０００６】
ところで、特許文献１に記載の遮音シートを配管のエルボ部分に被覆する場合、まず、エルボ部分の湾曲部に本体部（一方の襞部）を当接させ、本体部（一方の襞部）を押さえた状態で切れ込み部に粘着テープを貼着する。そして、第一の帯状部の本体部（一方の襞部）側の端面を、本体部（一方の襞部）の第一の帯状部側端面に突き合わせるようにしてエルボ部分に被覆し、本体部（一方の襞部）及び第一の帯状部を押さえた状態で、粘着テープで貼着する。
【０００７】
次に、第二の帯状部の本体部側端面を本体部（他方の襞部）の第二の帯状部側端面に突き合わせるようにしてエルボ部分に被覆し、本体部（他方の襞部）及び第二の帯状部を押さえた状態で粘着テープで貼着する。
【０００８】
上述のように、かかる遮音シートを配管のエルボ部分に被覆する場合、一方の襞部、一方の襞部及び第一の帯状部、他方の襞部、他方の襞部及び第二の帯状部のそれぞれを順に押さえた状態で、粘着テープでエルボ部分に貼着する必要がある。その際に、本体部（一対の襞部）、第一の帯状部及び第二の帯状部がエルボ部分から剥がれる（垂れる）恐れがあり、作業効率が悪いという問題がある。
【０００９】
また、一方の襞部及び第一の帯状部との間、及び他方の襞部及び第二の帯状部との間のそれぞれに隙間ができ、その隙間から音が漏れるため、遮音性が悪くなるといった問題がある。
【００１０】
そこで、本発明は、斯かる実情に鑑み、簡単な構成で作業効率が良くコスト削減ができ、かつ遮音性の良好なエルボ用遮音シート、該エルボ用遮音シートを被覆されたエルボ、及びエルボ用遮音シートをエルボ部分に被覆する方法を提供することを目的とする。
【課題を解決するための手段】
【００１１】
本発明に係るエルボ用遮音シートは、配管のエルボ部分を被覆するための長手方向に延在するエルボ用遮音シートであって、該シートの中央部に設けられ、前記エルボの湾曲部に当接する本体部と、前記配管の前記エルボ部分の幅方向に延びる形状を有し、前記本体部を前記幅方向と交わる方向に挟むように設けられる第一の帯状部及び第二の帯状部と、を備え、前記本体部と前記第一の帯状部及び第二の帯状部との接続部には、前記本体部の前記幅方向の一端側から前記中央部に向かう切り込み部が形成され、前記本体部の前記幅方向と交わる方向の一端側及び他端側の端部を、前記配管のエルボ部分に被覆した時、前記第一の帯状部及び前記第二の帯状部のそれぞれの前記本体部側部分に重なり合う重ね合わせ部が形成される、ことを特徴とする。
【００１２】
上記構成のエルボ用遮音シートを配管のエルボ部分に被覆する場合、まず、本体部を配管のエルボ部分の湾曲部に被覆し、第一の帯状部を本体部の重ね合わせ部に重ね合うようにしてエルボ部分に被覆する。そして、重ね合わせ部を押さえた状態で粘着テープで仮止めする。次に、第二の帯状部を本体部の重ね合わせ部に重ね合うようにしてエルボ部分に被覆する。そして、本体部、第一の帯状部及び第二の帯状部がエルボ部分に被覆された状態で、エルボ部分にシートの切り込み部を粘着テープで貼着させるようにする。
【００１３】
このような構成のエルボ用遮音シートによれば、本体部の幅方向と交わる方向の一端側及び他端側の端部に重ね合わせ部が形成されているため、該重ね合わせ部を押さえるだけで、本体部と第一の帯状部とを一度に押さえることができるとともに、本体部と第二の帯状部とを一度に押さえることができる。このため、作業中に、本体部、第一の帯状部及び第二の帯状部がエルボ部分から剥がれる（垂れる）のを防ぐことができ、作業効率が向上する。
【００１４】
また、重ね合わせ部が形成されることによって、本体部と第一の帯状部との間、及び本体部と第二の帯状部との間に隙間が形成されず、隙間から音が漏れることがないため、遮音性が向上される。
【００１５】
さらに、重ね合わせ部（上記切り込み部）を粘着テープで貼着させるだけで、エルボ用遮音シートを配管のエルボ部分に確実に被覆することができ、コストを削減できる。
【００１６】
本発明の一態様として、本体部の幅方向の一端側及び他端側には、幅方向と交わる方向の中央部に、幅方向の外側に向けて突出部が形成されているのが好ましい。
【００１７】
上記構成のエルボ用遮音シートによれば、例えば、配管の９０度に湾曲されたエルボ部分（９０度エルボ）に被覆する場合に用いられ、本体部の突出部がエルボ部分の湾曲部に当接するように９０度エルボに被覆する。これにより、上述の場合と同様に、作業効率が向上するとともに、遮音性の向上及びコスト削減が可能となる。
【００１８】
本発明の他態様として、本体部の突出部は、本体部の幅方向の一端側及び他端側から外側に向けて、先細り形状に形成されているのが好ましい。
【００１９】
上記構成のエルボ用遮音シートによれば、例えば、配管の４５度に湾曲されたエルボ部分（４５度エルボ）に被覆する場合に用いられ、本体部の突出部がエルボ部分の湾曲部に当接するように４５度エルボに被覆する。これにより、突出部がエルボ部分の湾曲部から剥がれにくくなり、突出部がエルボ部分の湾曲部に容易にかつ隙間なく被覆されることができ、さらに、作業効率が向上するとともに、遮音性の向上及びコスト削減が可能となる。
【００２０】
本発明のさらに他の態様として、本体部の幅方向の一端側及び他端側には、幅方向と交わる方向の中央部に、幅方向の外側から内側に向けて先細の切れ込み部が形成され、切れ込み部によって該切れ込み部の両側に第一及び第二の襞部が形成されているのが好ましい。
【００２１】
上記構成のエルボ用遮音シートによれば、例えば、配管の９０度に湾曲された大曲りのエルボ部分（９０度大曲りのエルボ）に被覆する場合に用いられ、上述の場合と同様に、作業効率が向上するとともに、遮音性の向上及びコスト削減が可能となる。
【００２２】
本発明のさらに別の態様として、上記記載のエルボ用遮音シートを被覆されたエルボであることが好ましい。このような構成によれば、簡単な構成で作業効率が良くコスト削減ができ、かつ遮音性の良好なエルボ用遮音シートを備えたエルボを提供することができる。
【００２３】
本発明のさらに別の態様として、上記記載のエルボ用遮音シートを配管のエルボ部分に被覆する方法は、前記本体部を前記配管の前記エルボ部分の前記湾曲部に被覆する工程と、前記第一の帯状部を前記本体部の前記重ね合わせ部に重ね合うようにして前記エルボ部分に被覆する工程と、前記本体部及び前記第一の帯状部を押さえた状態で粘着テープで仮止めする工程と、前記第二の帯状部を前記本体部の前記重ね合わせ部に重ね合うようにして前記エルボ部分に被覆する工程と、前記本体部、前記第一の帯状部及び前記第二の帯状部が前記エルボ部分に被覆された状態で、前記エルボ部分にシートの前記切り込み部を前記粘着テープで貼着させる工程とを、含む、ことを特徴とする。
【００２４】
上記方法によれば、例えば、配管の４５度及び９０度に湾曲されたエルボ部分に被覆する場合、本体部の重ね合わせ部を押さえるだけで、本体部と第一の帯状部とを一度に押さえることができるとともに、本体部と第二の帯状部とを一度に押さえることができるため、本体部、第一の帯状部及び第二の帯状部がエルボ部分から剥がれる（垂れる）のを防ぐことができ、作業性が向上する。
【００２５】
また、重ね合わせ部が形成されることによって、本体部と第一の帯状部との間、及び本体部と第二の帯状部との間に隙間が形成されず、隙間から音が漏れることがないため、遮音性が向上される。
【００２６】
さらに、重ね合わせ部（上記切り込み部）を粘着テープで貼着させるだけで、エルボ用遮音シートを配管のエルボ部分に確実に被覆することができ、コストを削減できる。
【００２７】
本発明のさらに別の態様として、上記記載のエルボ用遮音シートをエルボ部分に被覆する方法は、前記第一の襞部を前記エルボ部分の前記湾曲部に被覆する工程と、前記第一の帯状部を前記第一の襞部の重ね合わせ部に重ね合うようにして前記エルボ部分に被覆する工程と、前記第一の襞部及び前記第一の帯状部を押さえた状態で粘着テープで仮止めする工程と、前記第二の襞部を前記エルボ部分の前記湾曲部に被覆する工程と、前記第二の帯状部を前記第二の襞部の重ね合わせ部に重ね合うようにして前記エルボ部分に被覆する工程と、前記襞部及び帯状部が配管に被覆された状態で、前記エルボ部分にシートの前記切れ込み部を前記粘着テープで貼着させる工程とを、含む、ことを特徴とする。
【００２８】
上記構成の方法によれば、例えば、配管の９０度に湾曲された大曲りのエルボ部分（９０度大曲りのエルボ）に被覆する場合、本体部の重ね合わせ部を押さえるだけで、本体部（第一の襞部）と第一の帯状部とを一度に押さえることができるとともに、本体部（第二の襞部）と第二の帯状部とを一度に押さえることができるため、本体部（第一の襞部、第二の襞部）、第一の帯状部及び第二の帯状部がエルボ部分から剥がれる（垂れる）のを防ぐことができ、作業性が向上する。
【００２９】
また、重ね合わせ部が形成されることによって、本体部（第一の襞部）と第一の帯状部との間、及び本体部（第二の襞部）と第二の帯状部との間に隙間が形成されず、隙間から音が漏れることがないため、遮音性が向上される。
【発明の効果】
【００３０】
以上のように、本発明によれば、シートに斜めの切り込み部を入れるだけの簡単な構成で、作業効率が良くコスト削減ができ、かつ本体部の重ね合わせ部が各帯状部の本体部側部分と重なることによって隙間ができず他方の襞部他方の襞部、遮音性の良好なエルボ用遮音シート、エルボ及びエルボ用遮音シートをエルボ部分に被覆する方法を提供することができる、といった優れた効果を奏し得る。
【図面の簡単な説明】
【００３１】
【図１】本発明の第一の実施形態に係るエルボ用遮音シートの概略構成を示す図である。
【図２】本発明の第一の実施形態に係るエルボ用遮音シートを、配管に被覆する様子を示す図である。
【図３】本発明の第一の実施形態に係るエルボ用遮音シートを、配管に被覆する様子を示す図である。
【図４】本発明の第一の実施形態に係るエルボ用遮音シートを、配管に被覆する様子を示す図である。
【図５】本発明の第一の実施形態に係るエルボ用遮音シートを、配管に被覆した状態を示す図である。
【図６】本発明の第二の実施形態に係るエルボ用遮音シートの概略構成を示す図である。
【図７】本発明の第二の実施形態に係るエルボ用遮音シートを、配管に被覆する様子を示す図である。
【図８】本発明の第二の実施形態に係るエルボ用遮音シートを、配管に被覆した状態を示す図である。
【図９】本発明の第三の実施形態に係るエルボ用遮音シートの概略構成を示す図である。
【図１０】本発明の第三の実施形態に係るエルボ用遮音シートを、配管に被覆する様子を示す図である。
【図１１】本発明の第三の実施形態に係るエルボ用遮音シートを、配管に被覆する様子を示す図である。
【図１２】本発明の第三の実施形態に係るエルボ用遮音シートを、配管に被覆する様子を示す図である。
【図１３】本発明の第三の実施形態に係るエルボ用遮音シートを、配管に被覆した状態を示す図である。
【発明を実施するための形態】
【００３２】
（第一の実施形態）
以下、本発明の第一の実施形態に係る配管のエルボ部分に被覆されるエルボ用遮音シートについて、添付図面を参照して説明する。
【００３３】
本実施形態に係るエルボ用遮音シートは、例えば、本実施形態に係る配管の９０度に湾曲されたエルボ部分（９０度エルボ）を被覆する場合に用いられるものである。
【００３４】
本実施形態に係るエルボ用遮音シートは、図１に示すように、配管のエルボ部分を被覆するための長手方向に延在するエルボ用遮音シート１００である。エルボ用遮音シート１００は、塩化ビニル樹脂と、該塩化ビニル樹脂上に形成されたＰＥＴフェルトと、を含むように形成されている。
【００３５】
エルボ用遮音シート１００は、該シート１００の中央部に設けられ、エルボの湾曲部に当接する本体部１０と、配管のエルボ部分の幅方向に延びる形状を有し、本体部１０を幅方向と交わる方向に挟むように設けられる第一の帯状部２０及び第二の帯状部３０と、を備える。
【００３６】
本体部１０は、長手方向（エルボ部分の幅方向）に延在する形状を呈する。本実施形態においては、本体部１０の幅方向の一端側及び他端側のそれぞれに直線部１１，１２を有するとともに、幅方向と交わる方向の中央部（直線部１１，１２の中央部）に、幅方向の外側に向けて突出部１３，１４が形成されている。
【００３７】
本実施形態において、突出部１３，１４は、本体部１０の幅方向の一端側及び他端側（直線部１１，１２）から外側に向けて、第一の帯状部２０及び第二の帯状部３０の一端部及び他端部の途中まで、凸状（略三角形状）に形成されている。
【００３８】
そして、本体部１０の幅方向と交わる方向の一端側及び他端側の端部（直線部１１，１２の端部）を、配管のエルボ部分に被覆した時、第一の帯状部２０及び第二の帯状部３０のそれぞれの本体部１０側部分に重なり合う重ね合わせ部１５，１６，１７及び１８が形成される。
【００３９】
第一の帯状部２０は、幅方向の一端側及び他端側のそれぞれに、直線部２１，２２を有する。また、第一の帯状部２０は、幅方向と交わる方向の一端側に直線部２３を有するとともに、幅方向の一端側及び他端側から本体部１０の略中央に向けて傾斜部２４，２５が形成されている。
【００４０】
そして、本体部１０と第一の帯状部２０との接続部には、本体部１０の幅方向の一端側から中央部に向かう（傾斜部２４，２５の途中から本体部１０の略中央に向かう）切り込み部２６，２７が形成されている。
【００４１】
第二の帯状部３０は、幅方向の一端側及び他端側のそれぞれに、直線部３１，３２を有する。また、第二の帯状部３０は、幅方向と交わる方向の一端側に直線部３３を有するとともに、幅方向の一端側及び他端側から本体部１０の略中央に向けて傾斜部３４，３５が形成されている。
【００４２】
そして、本体部１０と第二の帯状部３０との接続部には、本体部１０の幅方向の一端側から中央部に向かう（傾斜部３４，３５の途中から本体部１０の略中央に向かう）切り込み部３６，３７が形成されている。
【００４３】
本実施形態に係るエルボ用遮音シート１００の構成についての説明は以上の通りであり、次に、本実施形態に係るエルボ用遮音シート１００を配管のエルボ部分に被覆する方法について、図２〜図４を参照して説明する。
【００４４】
図２〜図４に示すように、本実施形態に係るエルボ用遮音シート１００を配管のエルボ部分２００に被覆する方法では、まず、本体部１０の突出部１３，１４がエルボ部分２００の湾曲部２０１に当接するように、本体部１０を配管のエルボ部分２００の湾曲部２０１に被覆し（当接させ）、第一の帯状部２０を本体部１０の重ね合わせ部１５，１６に重ね合うようにしてエルボ部分２００に被覆する（図２）。そして、重ね合わせ部１５，１６を押さえた状態で粘着テープ３００で仮止めする（図３）。
【００４５】
次に、第二の帯状部３０を本体部１０の重ね合わせ部１７，１８に重ね合うようにしてエルボ部分２００に被覆する（図３及び図４）。そして、本体部１０、第一の帯状部２０及び第二の帯状部３０がエルボ部分２００に被覆された状態で、粘着テープ３００で貼着させる（図４及び図５）。最後に、シート１００の切り込み部２６，２７に粘着テープ３００を貼着し、エルボ部分２００にシート１００を固定する。このようにして、本実施形態に係るエルボ用遮音シート１００を被覆されたエルボ部分２００（エルボ２１０）が形成される。
【００４６】
以上のように、本実施形態に係るエルボ用遮音シート１００によれば、重ね合わせ部１５，１６を押さえるだけで、本体部１０と第一の帯状部２０とを一度に押さえることができるとともに、重ね合わせ部１７，１８を押さえるだけで、本体部１０と第二の帯状部３０とを一度に押さえることができるため、作業中に、本体部１０、第一の帯状部２０及び第二の帯状部３０がエルボ部分２００から剥がれる（垂れる）のを防ぐことができ、作業効率が向上する。
【００４７】
また、重ね合わせ部１５，１６，１７及び１８が形成されることによって、本体部１０と第一の帯状部２０との間、及び本体部１０と第二の帯状部３０との間に隙間が形成されず、隙間から音が漏れることがないため、遮音性が向上される。
【００４８】
さらに、重ね合わせ部１５，１６，１７及び１８（上記切り込み部２６，２７及び３６，３７）の２か所のみを粘着テープ３００で貼着させるだけで、エルボ用遮音シート１００を配管のエルボ部分２００に確実に被覆することができ、コストを削減できる。
（第二の実施形態）
本実施形態に係るエルボ用遮音シートは、例えば、配管の４５度に湾曲されたエルボ部分（４５度エルボ）を被覆する場合に用いられるものである。なお、本実施形態において、第一の実施形態に係るエルボ用遮音シート１００と同様の構成については、同一の参照符号を付して詳細な説明を繰り返さない。
【００４９】
図６に示すように、本実施形態に係るエルボ用遮音シート１１０では、本体部１０の突出部３８，３９は、本体部１０の幅方向の一端側及び他端側（直線部１１，１２）から外側に向けて、第一の帯状部２０及び第二の帯状部３０の一端部及び他端部の途中まで、凸状（略三角形状）に形成されている。
【００５０】
なお、本実施形態に係るエルボ用遮音シート１１０では、４５度に湾曲されたエルボ部分（４５度エルボ）の湾曲部の形状に沿うように形成されているため、第一の実施形態に係るエルボ用遮音シート１００に比し、本体部１０と第一の帯状部２０及び第二の帯状部３０との間隔が狭くなるように形成されている。
【００５１】
次に、本実施形態に係るエルボ用遮音シート１１０を配管のエルボ部分２００に被覆する方法について、図７及び図８参照して説明する。
【００５２】
図７及び図８に示すように、本実施形態に係るエルボ用遮音シート１１０をエルボ部分２００に被覆する方法では、まず、本体部１０の突出部３８，３９がエルボ部分２００の湾曲部２０１に当接するように、本体部１０を配管のエルボ部分２００の湾曲部２０１に被覆し（当接させ）、第一の帯状部２０を本体部１０の重ね合わせ部２６，２７に重ね合うようにしてエルボ部分２００に被覆する（図７）。そして、本体部１０及び第一の帯状部２０を押さえた状態で、粘着テープ３００で仮止めする（図７）。
【００５３】
次に、第二の帯状部３０を本体部１０の重ね合わせ部１７，１８に重ね合うようにしてエルボ部分２００に被覆する（図８）。そして、本体部１０、第一の帯状部２０及び第二の帯状部３０がエルボ部分２００に被覆された状態で、粘着テープ３００で貼着させる。最後に、シート１１０の切り込み部３６，３７に粘着テープ３００を貼着し、エルボ部分２００にシート１１０を固定する。このようにして、本実施形態に係るエルボ用遮音シート１１０を被覆されたエルボ部分２００（エルボ２２０）が形成される。
【００５４】
以上のように、本実施形態に係るエルボ用遮音シート１１０によれば、配管の４５度に湾曲されたエルボ部分（４５度エルボ）に被覆する場合に用いられ、上記第一の実施形態に係るエルボ用遮音シート１００の場合と同様に、作業効率が向上するとともに、遮音性の向上及びコスト削減が可能となる。
（第三の実施形態）
本実施形態に係るエルボ用遮音シートは、例えば、配管の９０度に湾曲された大曲りのエルボ部分（９０度大曲りのエルボ）を被覆する場合に用いられるものである。なお、本実施形態において、第一及び第二の実施形態に係るエルボ用遮音シート１００及び１１０と同様の構成については、同一の参照符号を付して詳細な説明を繰り返さない。
【００５５】
図９に示すように、本実施形態に係るエルボ用遮音シート１２０は、本体部４０の幅方向の一端側及び他端側には、幅方向と交わる方向の中央部に、幅方向の外側から内側に向けて先細の切れ込み部４１，４２が形成されている。そして、切れ込み部４１，４２によって該切れ込み部４１，４２の両側に第一の襞部４３及び第二の襞部４４が形成されている。
【００５６】
本実施形態においては、本体部４０の第一の帯状部２０との接続部に直線部４５，４６を有するとともに、本体部４０の第二の帯状部３０との接続部に直線部４７，４８を有する。
【００５７】
そして、本体部４０の幅方向と交わる方向の一端側及び他端側（直線部４５，４６及び４７，４８）の端部には、配管のエルボ部分に被覆された状態で、第一の帯状部２０及び第二の帯状部３０のそれぞれの本体部４０側部分に重なり合う重ね合わせ部４９，５０，５１及び５２が形成されている。
【００５８】
次に、本実施形態に係るエルボ用遮音シート１２０を配管のエルボ部分２００に被覆する方法について、図１０〜図１３を参照して説明する。
【００５９】
図１０〜図１３に示すように、本実施形態に係るエルボ用遮音シート１２０をエルボ部分２００に被覆する方法では、まず、第一の襞部４３をエルボ部分２００の湾曲部２０１に被覆し、粘着テープ３００で仮止めする（図１０）。次に、第一の帯状部２０を第一の襞部４３の重ね合わせ部４９，５０に重ね合うようにしてエルボ部分２００に被覆する（図１１）。そして、重ね合わせ部４９，５０を押さえた状態で、粘着テープ３００で仮止めする（図１１）。
【００６０】
次に、第二の襞部４４をエルボ部分２００の湾曲部２０１に被覆し、粘着テープ３００で仮止めする（図１２）。そして、第二の帯状部３０を第二の襞部４４の重ね合わせ部５１，５２に重ね合うようにしてエルボ部分２００に被覆、粘着テープ３００で仮止めする（図１２及び図１３）。さらに、襞部４３，４４及び帯状部２０，３０が配管に被覆た状態で、エルボ部分２００に粘着テープ３００で貼着させる。このようにして、本実施形態に係るエルボ用遮音シート１２０を被覆された２００（エルボ２３０）が形成される。
【００６１】
以上のように、本実施形態に係るエルボ用遮音シート１２０によれば、配管の９０度に湾曲された大曲りのエルボ部分２００を被覆する場合に用いられ、上記第一及び第二の実施形態に係るエルボ用遮音シート１００及び１１０の場合と同様に、作業効率が向上するとともに、遮音性の向上及びコスト削減が可能となる。
【００６２】
尚、本発明のエルボ用遮音シートは、上記各実施形態に限定されるものではなく、本発明の要旨を逸脱しない範囲で適宜変更し得ることは勿論のことである。
【００６３】
上記各実施形態において、エルボ用遮音シート１００，１１０及び１２０は、塩化ビニル樹脂と、該塩化ビニル樹脂上に形成されたＰＥＴフェルトと、を含むように形成されているが、これに限定されるものではない。配管のエルボ部分に容易に被覆されることができ、作業効率及び遮音性の向上ができ、コスト削減の可能なものであればよい。
【００６４】
上記各実施形態において、本体部１０（重ね合わせ部１５，１６，１７，１８及び４９，５０，５１，５２）は、第一の帯状部２０及び第二の帯状部３０の下側となるように形成されているが、これに限定されるものではなく、第一の帯状部２０及び第二の帯状部３０が下側となるように形成されてもよい。この場合でも、上記と同様の効果を奏することができる。
【００６５】
上記第一の実施形態において、突出部１３，１４は、本体部１０の幅方向の一端側及び他端側から外側に向けて、第一の帯状部２０及び第二の帯状部３０の一端部及び他端部の途中まで、略三角形状に形成されているが、これに限定されるものではない。要は、配管のエルボ部分２００の湾曲部２０１に被覆（当接）し易いような構成であればよい。
【００６６】
上記第一及び第二の実施形態において、第一の帯状部２０は、幅方向の一端側及び他端側のそれぞれに、直線部２１，２２を有するように形成されているが、これに限定されるものではない。要は、配管のエルボ部分２００の湾曲部２０１に被覆（当接）し易いような構成であればよい。
【００６７】
また、上記第一及び第二の実施形態において、第一の帯状部２０は、幅方向と交わる方向の一端側に直線部２３を有するとともに、幅方向の一端側及び他端側から本体部１０の略中央に向けて傾斜部２４，２５が形成されているが、これに限定されるものではない。要は、配管のエルボ部分２００の湾曲部２０１に被覆（当接）し易いような構成であればよい。
【００６８】
そして、上記第一及び第二の実施形態において、本体部１０と第一の帯状部２０との接続部には、本体部１０の幅方向の一端側から中央部に向かう（傾斜部２４，２５の途中から本体部１０の略中央に向かう）切り込み部２６，２７が形成されているが、これに限定されるものではない。要は、エルボ用遮音シート１００，１１０を配管のエルボ部分２００に被覆する際に、本体部１０と第一の帯状部２０との接続部が、容易に分離可能かつ隙間ができないように形成されていればよい。
【００６９】
上記第一及び第二の実施形態において、第二の帯状部３０は、幅方向の一端側及び他端側のそれぞれに、直線部３１，３２を有するように形成されているが、これに限定されるものではない。要は、配管のエルボ部分２００の湾曲部２０１に被覆（当接）し易いような構成であればよい。
【００７０】
また、上記第一及び第二の実施形態において、第二の帯状部３０は、幅方向と交わる方向の一端側に直線部３３を有するとともに、幅方向の一端側及び他端側から本体部１０の略中央に向けて傾斜部３４，３５が形成されているが、これに限定されるものではない。要は、配管のエルボ部分２００の湾曲部２０１に被覆（当接）し易いような構成であればよい。
【００７１】
そして、上記第一及び第二の実施形態において、本体部１０と第二の帯状部３０との接続部には、本体部１０の幅方向の一端側から中央部に向かう（傾斜部３４，３５の途中から本体部１０の略中央に向かう）切り込み部３６，３７が形成されているが、これに限定されるものではない。要は、エルボ用遮音シート１００，１１０を配管のエルボ部分２００に被覆する際に、本体部１０と第二の帯状部３０との接続部が、容易に分離可能かつ隙間ができないように形成されていればよい。
【００７２】
上記第三の実施形態において、本体部４０と第一の帯状部２０及び第二の帯状部３０との間に重ね合わせ部４９，５０，５１及び５２が形成されるようにしたが、これに限定されるものではなく、例えば、第一の襞部４３と第二の襞部４４との間にも重ね合わせ部が形成されるようにしてもよい。要は、配管のエルボ部分２００の湾曲部２０１に被覆（当接）し易く、作業性及び遮音性を維持できるような構成であればよい。
【産業上の利用可能性】
【００７３】
本発明のエルボ用遮音シート、エルボ及びエルボ用遮音シートをエルボ部分に被覆する方法は、配管のエルボ部分へ取り付ける場合に有効に利用される。
【符号の説明】
【００７４】
１０  本体部、２０  第一の帯状部、３０  第二の帯状部、１１，１２  直線部、１３，１４  突出部、１５，１６，１７，１８  重ね合わせ部、２１，２２，２３  直線部、２４，２５  傾斜部、２６，２７  切り込み部、３１，３２，３３  直線部、３４，３５  傾斜部、３６，３７  切り込み部、３８，３９  突出部、４０  本体部、４１，４２  切れ込み部、４３  第一の襞部、４４  第二の襞部、４５，４６，４７，４８  直線部、４９，５０，５１，５２  重ね合わせ部、１００，１１０、１２０  エルボ用遮音シート、２００  エルボ部分、２０１  湾曲部、２１０，２２０，２３０  エルボ、３００  粘着テープ。
【図１】
2016138570.tif 000003
【図２】
2016138570.tif 000004
【図３】
2016138570.tif 000005
【図４】
2016138570.tif 000006
【図５】
2016138570.tif 000007
【図６】
2016138570.tif 000008
【図７】
2016138570.tif 000009
【図８】
2016138570.tif 000010
【図９】
2016138570.tif 000011
【図１０】
2016138570.tif 000012
【図１１】
2016138570.tif 000013
【図１２】
2016138570.tif 000014
【図１３】
2016138570.tif 000015